(57)【要約】      （修正有）【課題】どのようなまぶたの形状の人が使用しても、目を大きく見せる効果や、化粧に使用するファンデーションの乗り易さ、目尻側のはねも形成しやすい等の利点を兼ね備えたアイラインシール及び、アイラインシールの保持に適したアイラインシール集合シートを提供する。【解決手段】まぶたに貼ってアイラインを形成するためのアイライン形成用シールであって、長手方向の両端に端部を有する小片状のシール本体１と、シール本体の少なくとも一方の面に塗着された粘着剤を備え、シール本体は実質的に柔軟性を有する合成樹脂からなり、シール本体の長手方向に直行する方向のシール幅が、目頭側に相当する端部１１から、目尻に相当する端部１５手前まで、徐々に太くなるように構成されているアイライン形成用シール、及び二以上アイライン形成用シールと、アイライン形成用シールを剥離可能に保持してなる台紙から構成されている。【選択図】図１
0003187657.tif 000002
【実用新案登録請求の範囲】
【請求項１】
まぶたに貼ってアイラインを形成するためのアイライン形成用シールであって、長手方向の両端に端部を有する小片状のシール本体と、前記シール本体の少なくとも一方の面に塗着された粘着剤を備え、前記シール本体は実質的に柔軟性を有する合成樹脂からなり、前記シール本体の長手方向に直行する方向のシール幅が、目頭側に相当する端部から、目尻に相当する端部手前まで、徐々に太くなるように構成されていることを特徴とする、アイライン形成用シール。
【請求項２】
前記目尻側に相当する端部が他構成部分と角度を異にし、かつ先端までが細くなる形状をしている、請求項１に記載のアイライン形成用シール。
【請求項３】
まぶたに貼ってアイラインを形成するためのアイライン形成用シールであって、長手方向の両端に端部を有する小片状のシール本体と、前記シール本体の少なくとも一方の面に塗着された粘着剤を備え、前記シール本体は実質的に柔軟性を有する合成樹脂からなり、前記シール本体の長手方向に直行する方向のシール幅が、目頭側に相当する端部から、目尻に相当する端部手前まで、徐々に太くなるように構成されていることを特徴とし、アイライン形成用シールの下縁部が４点を結ぶ点により構成され、それぞれの点は、目頭側の端部を座標軸（Ｘ軸、Ｙ軸）の原点とし、原点から全体の長さＬ５を１１．４とした場合、２点目の座標１２が（３．１、０．６７）、３点目の座標１３が（６、０．８）、４点目の座標１４が（１０，０．４５）で示され、またはそれぞれの座標軸が、前後左右に０．２程度ずれる程度を許容範囲として構成され、かつ５点が直線あるいは曲線で結ばれているアイライン形成用シール。
【請求項４】
まぶたに貼ってアイラインを形成するためのアイライン形成用シールであって、目尻側に相当する端部が他構成部分と角度を異にし、かつ先端までが細くなる形状をしており、はねの部分の下縁部が２点を結ぶ点によって構成され、それぞれの点は、目頭側の端部を座標軸（Ｘ軸、Ｙ軸）の原点とし、原点から全体の長さＬ５を１１．４とした場合、１点目の座標１４が（１０、０．４５）で示され、２点目の座標１５が（１１４．３４、１．４３）で示され、かつ２点が直線あるいは曲線で結ばれている、請求項１に記載のアイライン形成用シール。
【請求項５】
二以上の請求項１に記載のアイライン形成用シールと、前記アイライン形成用シールの前記粘着剤に接して設けられ、ニ以上の前記アイライン形成用シールを剥離可能に保持してなる台紙から構成されていることを特徴とする、アイライン形成用シール集合シート。
【考案の詳細な説明】
【技術分野】
【０００１】  本発明は、まぶたの上側の瞼縁（以下「まぶた」という）に貼り付けてアイラインを形成するためのアイラインシール、及び該アイラインシールを保持したアイラインシール集合シートに関する。
【背景技術】
【０００２】  アイラインとは目元に施す化粧の一つであり、目の縁に線を描くことで目の形を大きく見せる効果がある。アイラインを描くための化粧品の一つとして、アイライナーがあり、アイライナーには、いくつかの種類があるが、良く使われるのはペンシルタイプとリキッドタイプである。ペンシルタイプは文房具の鉛筆のような形状のもので、リキッドタイプは液状になっていて、ボトルなどに入った液体を、ブラシで塗布して使用する。色は黒、または茶色を使用する場合が多い。アイライナーは、人の手で化粧を行なう為、使用する人のスキルによって出来上がりが異なる。上手く使用できない場合、左右非対称になったり、アイラインにムラができるなど、使用者の希望通りのアイラインにならないと言う欠点を有している。【０００３】  これに対し、着色した粘着シールを細長い形状に切り取り、瞼に貼り付けて使用するアイラインテープが刊行物に記載されていて、目頭から目尻にかけて長手方行に幅が狭くなっていてアイラインを形成すると共に二重瞼を作るテープが特開平１１−３１８５５８号公報に、粘着シールを着色して瞼に貼りつけるアイラインが実用新案登録第３０５０３９２号公報に記載されている。
【先行技術文献】
【特許文献】
【０００４】
【特許文献１】特開平１１−３１８５５８号公報
【特許文献２】実用新案登録第３０５０３９２号公報
【考案の概要】
【考案が解決しようとする課題】
【０００５】  特開平１１−３１８５５８号公報記載のテープは、二重まぶたを形成することを優先した形状のテープとなり、アイラインをきれいに見せると言う点で欠点がある。また実用新案登録第３０５０３９２号公報記載のアイラインは、着色したテープであり、きれいに見えるアイラインとしての実用化に課題が残っている。また、現状市販されている商品に（公序良俗違反につき、不掲載）という商品があるが、こちらのシールも貼り付ける事で、二重まぶたを形成し、かつアイラインを引くという用途のものであり、特開平１１−３１８５５８号公報記載のシールと同様の課題を持つものである。アイラインシールのみを必要とする場合に適さない形状となっている。【０００６】  このような状況に鑑み、発明者らは、どのようなまぶたの形状の人が使用しても、目を大きく見せる効果や、化粧に使用するファンデーションの乗り易さ、目尻側のはねも形成しやすい等の利点を兼ね備えたアイラインシールが必要であると考えた。すなわち本発明は、これらの利点を兼ね備えたアイラインシール及び、該アイラインシールの保持に適したアイラインシール集合シートを提供することを目的とする。
【課題を解決する為の手段】
【０００７】  上記の課題を解決するにあたり、本発明者らは鋭意検討を行なった結果、アイラインシール本体を、実質的に伸縮性を有さないが柔軟性を有する合成樹脂から構成し、かつ、シール幅を、長手方向の一端から徐々に太くし、かつ反対側の一端をはねた形状にし、徐々に細くする構成することによって、まぶたの形状に関わらず、目を大きく見せつつ、上から化粧をした時に自然に化粧が出来、かつ、テカリも目立たないアイラインを形成することができ、かつ、目尻のはねも形成しやすく、かつ、まぶたに貼り付けた際にも剥がれにくいことを見出し、本発明の完成に至った。
【０００８】  すなわち本発明は、まぶたに貼ってアイラインを形成するためのアイラインシールであって、その長手方向の一端に上方向へのはねた部分を有する小片状のシール本体と、前記シール本体の少なくとも一方の面に塗着された粘着材とを備え、前記シール体は、実質的に伸縮性を有さないが柔軟性を有する合成樹脂からなり、前記シール体の長手方向に直行する方向のシールの幅が、はねた部分の手前まで徐々に太くなるシール幅を有するアイラインシールに関するものである。
【０００９】  また本発明は、ニ以上の前記アイラインシールと、前記アイラインシールの前記粘着剤に接して設けられ、ニ以上の前記アイラインシールを剥離可能に保持してなる台紙とから構成されている、アイラインシール集合シートにも関する。
【考案の効果】
【００１０】  本発明によれば、アイラインの形成のし易さや、アイラインの上からの化粧のし易さや剥がれにくさ、目尻側のアイラインのはねの形成の容易さ、またシールの上からの化粧のし易さといった点に優れたアイラインシール、及びこのようなアイラインシールの集合シートを提供することができる。
【００１１】  本発明のアイラインシールは、全体として細い小片状に形成されるが、中でも長手方向に直行する方向のシール幅が、徐々に太くなり、かつ、目の形に添うように湾曲し、目尻に相当する位置から反対側の端部までは上向きにはねている。そのことにより、きれいなアイラインを形成することができる。また素材は上から化粧をする事が出来るために、アイラインも自然な見え方となり、テカリの少ない素材のため、シール自体が目立つことも少ない。また柔軟性を有する素材の為、端部のはね部分は、使用者の希望する角度に変形することができる。また容易に切断可能であるために、使用する人の目の大きさや形に合わせて切断することにより、長さ等を簡単に調節することができる。
【００１２】  また、上記のアイラインシールを保持してなる本発明のアイラインシール集合シートはアイラインシール、及び台紙の２層構造をとる事により、台紙からの剥離を容易に行なうことが可能になる。
【図面の簡単な説明】
【００１３】
【図１】本発明のアイラインシールの実施形態を示す正面図である
【図２】本発明のアイラインシール集合シートの実施形態を示す正面図である
【図３】図２のＡ−Ａ線断面図である
【図４】本発明のアイラインシールをまぶたに貼り付けた位置の説明図
【考案を実施する為の形態】
【００１４】  以下、本発明の実施形態を、図面を参照して説明する。ただし、本発明はこれらの実施形態に何ら限定されるものではない。
【００１５】  図１は、本発明に係るアイラインシールの実施形態を示している。このアイラインシールは、小片状で黒色又は茶色等の暗色を着色したシール本体１と、シール本体１の少なくとも一方の面に塗着された粘着剤とから構成されている。シール本体１は、図１の左右に位置する、長手方向の端を構成するそれぞれの端部１１、端部１５と図１中の上下に位置する、長手方向に直行する方向の端を構成する上縁と下縁とで、その形状が確定されている小片状のシールである。尚、ここでの「左右」、「上下」は図面の説明のためであり、シール本体１において区別されるものではない。なお、「小片状」とは、シール本体１が、概ねまぶたの平均的な長さよりも若干長い程度の長さを有し、全体としてまぶたから少しはみ出して貼り付けられる程度の大きさのシール片であることを意味している。
【００１６】  前記シール本体１のシール幅は、目頭側の端部から、中間点１４にかけて、徐々に太くなるように構成されている。目頭側の端部１１は細くなっており、その為、まぶたの形状（一重、奥二重、二重など）にかかわらず、貼り付ける事が可能である。また化粧品でアイラインを引く場合、通常目頭側を細くし、その太さを黒目にかかる位までは太くし、それ以降は徐々に太くするもしくは同じくらいの太さにすることによって、まぶたを着色し、そうすることによって目を大きく見せることができる。これは目の形状からすると、自然な形といえる。目の形状は、ラグビーボールに似た形状をしており、目頭側から瞳の瞳孔部分の目頭に近い部分にかけては、３５度〜４５度くらいの角度で大きくなり、黒目の上の部分では緩やかなカーブで中央部までは大きくなり、その後目尻方向へと向う。また、目頭から目尻までの水平方向の長さを１０とした場合、目頭から黒目の左側端部までの水平方向の長さ  対  黒目の直径の長さ＋黒目の右側端部から目尻までの水平方向の長さの割合は、およそ３．１対６．９位となる。よって上記のような目の形状の特徴に合わせた場合、最も自然なアイラインシールの形状を形成することができる。一般的な目の形状に合わせるため、シール本体１の下縁は上記比率に合わせた線を描くことになる。図１の目頭側の端部１１の下端部を原点として、水平方向にＸ軸、垂直方向にＹ軸をとる。シール本体１の端部１１から中間点１２までのＸ軸方向の長さをＬ１、端部１１から中間点１３までのＸ軸方向の長さをＬ２、端部１１から中間点１４までのＸ軸方向の長さをＬ３、中間点１４から端部１５までのＸ軸方向の長さをＬ４、端部１１から端部１５までのＸ軸方向の長さをＬ５とする。Ｌ３の長さを１０とした場合、Ｌ１の長さは３．１となり、中間点１２は座標軸（３．１０、０．６７）で表される。Ｌ３の長さを１０とした場合、Ｌ２の長さは５となり、中間点１３は座標軸（５．００、０．７９）で表される。Ｌ３の長さを１０とした場合、中間点１４は座標軸（１０、０．４５）で表される。端部１１、端部１２、端部１３及び端部１４を結んだ線が、シール本体１の下縁の一部を構成する。端部１１、端部１２、端部１３及び端部１４を結んだ線は曲線であっても直線であっても良い。中間点１２、中間点１３及び中間点１４は、その点の位置から上下左右に０．２程度ずれても良いが、それよりもずれた場合はきれいなアイラインは形成することが出来ない。
【００１７】  シール本体１のシール幅、シール長については、端部１１の幅Ｗ１は０．４ｍｍから０．６ｍｍ程度に形成される。図１の態様においては、０．５６ｍｍである。また、中間点１２の幅Ｗ２は１．５４ｍｍから１．６２ｍｍ程度に形成される。図１の態様においては、１．５９ｍｍである。また、中間点１４の幅Ｗ３は１．８ｍｍから２．１０ｍｍ程度に形成される。図１の態様においては、２．０１ｍｍである。また、端部１１の下端部から中間点１２までの長さＬ１は９．３２ｍｍから１１．３ｍｍ程度で、図１の様態においては、１０．１ｍｍである。また、端部１１の下端部から中間点１３までの長さＬ２は１５ｍｍから１８ｍｍ程度で、図１の様態においては、１６．８ｍｍである。また、端部１１から中間点１４までの長さＬ３は３１ｍｍから３５ｍｍ程度に有り、図１の態様においては、３３．７ｍｍである。また、シール全体の長さを示すＬ５は、まぶたに貼り付けてアイラインを形成するのに適切な長さであればよいが、例えば３．５ｃｍから４．５ｃｍ程度、好ましくは３．７ｃｍから４．０ｃｍ程度に掲載され、図１の様態においては、３８．６ｍｍである。またシール本体１の厚さは、粘着剤も合わせて０．１２ｍｍ〜０．１６ｍｍ程度に形成される。図１の態様の場合、０．１４ｍｍである。なお、アイラインシールとしては、シール本体１に予め塗着された両面粘着シール、或いは片面粘着シールを使用することができるが、この場合には、シール本体１と粘着剤の層とを含めた厚さが上記範囲であれば良い。ここで「シール幅」とは、シール本体１の長手方向に直行するシールの幅、あるいは上縁と下縁の距離をいう。
【００１８】  中間点１４から端部１５の下端部にかけての形状は、目尻から、目頭とは反対の方向にかけて上向きに表示される部分である。通常アイラインを引く場合、目頭から目尻までは、目の形に添うように、まぶたにアイラインを引くが、目をさらに大きく見せようとする場合、目尻からさらに、目頭とは反対の方向に、顔に対して上向きに徐々に細くなるラインを引く。これにより、目の回りの黒い部分が増え、より目が大きく見える効果がある。端部１５の下端部は座標軸（１１．４、１．４３）で表される。シール本体１の中間点１４から端部１５にかけてのＸ軸上の長さを示すＬ４は３ｍｍから８ｍｍ程度、好ましくは４ｍｍから６ｍｍ程度に形成され、図１の態様においては、４．９ｍｍである。端部１５の幅Ｗ４は０．１８ｍｍから０．２２ｍｍ程度に形成される。図１の態様においては、０．２ｍｍである。
【００１９】  シール本体１は、実質的に伸縮性を有さないが柔軟性を有する合成樹脂からなり、例えば、レーヨン製不織布からなるシールとして形成することができる。ここで、「実質的に伸縮性を有さないが柔軟性を有する合成樹脂」とは、合成樹脂の中でも比較的伸びにくい性質のものを使用すれば良い。例えば、シール本体１を取り扱う際に通常の力で手で長手方向に引っ張った程度では伸長しない素材が使用され、このような合成樹脂の一例としては、スリーエムヘルスケア株式会社製の、皮膚貼付用片面粘着１５３３Ｌ（０．１４ｍｍ）等が挙げられる。このようなシールの伸び率はほぼ０％であるが、柔軟性があるので、多少の形状の変化は手で与えることができる。このように、伸びにくく柔軟性のある性質の合成樹脂を、まぶたに貼り付ける際の所望の細さのシールに予め形成しておくことで、アイラインシールの形成に必要な強度と柔軟度を十分に保つことができる。また、自身の目のサイズに合わせて切ることも出来、多少のサイズの違いであれば加工して使えるという利点がある。
【００２０】  図２〜図３は、本発明に係るアイラインシールを保持した状態のアイラインシール集合シートの実施例を示している。このアイラインシール集合シート２は、図３で示されるように、シール本体１とシール本体１の片面に塗着された粘着剤を介して設けられた台紙２１との２層で構成されている。１枚の長方形状の台紙２１には、左右一対以上、すなわち２以上のシール本体が備えられており、例えば図２に示すように、左右２列で上下方向に各々１０個（計２０個）のシール本体１が備えられている。なお、各々のシール本体１は長手方向、すなわち図２中の左右方向において対象に形成され、右側が右目用、左側が左目用となる。なお、ここでのシール本体１の「左右」、「上下」とは、図中（例えば図２）における左右、上下を示しており、まぶたに貼り付けた際の、目やまつ毛の位置に対する左右、上下とは必ずしも一致しなくて良い。
【００２１】  台紙２１は、使用前のシール本体１を保持する為のものであり、一枚の長方形状に構成され、シール本体１の裏面側の粘着剤を介して、複数のシール本体１に対して、剥離可能に貼り付けられている。台紙２１は、粘着剤が容易に剥離されるような素材、例えばポリエチレンレフタレート（ＰＥＴ）等の合成樹脂から構成されている。なお、台紙２１は、シール本体１を保持する為に適度な厚みを有していればよく、特に限定されるものでは無いが、例えば０．５〜１．５ｍｍ程度、好ましくは０．８ｍｍ〜１．２ｍｍ程度に形成され、図２の態様においては、０．９ｍｍである。
【００２２】  なお、台紙２１とシール本体１とは、図３で示されるように、シール本体１の裏面側に塗着された粘着剤３１により剥離可能に接着されている。例えば、シール本体１の両面に粘着剤が予め塗着された両面粘着シールを使用することによって、台紙２をシール本体１に接着させてもよいし、台紙２とシール本体１との間（シール本体１の裏面側）にアクリル系の接着剤を施すことにより、台紙２とシール本体１を接着させてもよい。台紙２は、粘着剤が容易に剥離される素材から構成されているため、シール本体１はその裏面側に粘着剤が付着した状態のまま（すなわち、まぶたに貼り付ける事が可能なアイラインシールの状態として）、容易に台紙２から剥離される。
【００２３】  図４は、本実施形態のアイラインシールの使用方法を示している。本実施形態のアイラインシールを使用するには、図４に示すように、複数枚のシール本体１が剥離可能な状態で接着された台紙２１から、右目用または左目用の、いずれかの目的にあった１枚のシール本体１を剥がし、目を伏せ目にしてまぶたに沿って貼り付ける。その後目を開けば、アイラインを引いた状態に仕上がる。目は伏せ目がちにして貼り付けるので、アイラインシールの形状は、人間の瞳の形状に比較して、緩やかな角度となる。また、貼り付け後、まぶたを開いた場合、アイラインシールに弾力性があるため、目に負担を掛けること無く、きれいなアイラインとなる。
【００２４】  このようにして、アイラインシールを左まぶたに貼り付ける事ができ、右まぶたへの貼り付けも同様に行なうことができる。なお、まぶたに貼り付ける適切な位置は人によっても異なるが、例えば睫毛の生え際に貼り付けることにより、きれいな仕上がりのアイラインを形成することができる。
【００２５】  本発明に係るアイラインシール及びアイラインシール集合シートは、上記の実施形態に限定されるものではなく、各部分の素材や形状等を所望に応じて適宜変更することが可能である。例えばシール本体１の形状は、図１に限定されずに、目頭側から目尻側のはねの手前にかけて、シール幅が徐々に太くなるように構成されているものであれば良い。また、端部１１及び端部１５の形状は、外側に丸みを帯びた形状のものでも良い。台紙２１のサイズや台紙２１上に設けられるシール本体１の数も上記の例に限定されるものではなく、また、シール本体１、及び台紙２１の素材も、適宜変更することができる。ただし、シール本体１の素材は、上記のように伸縮性が無いが、柔軟性のあるもので、肌に貼り付けたとき、シールの上からアイシャドウ、アイライン等のアイメイクを施すことが可能であることが望ましい。また、シール本体１と台紙２１に介在する（シール本体１の裏面側に存在する）粘着剤の種類にも制限は無く、シール本体１をその裏面側に粘着剤が付着した状態のまま台紙２１から剥離して、まぶたに貼り付ける事が可能となるような、従来公知のものを使用することができる。
【符号の説明】
【００２６】１  シール本体
１１  目頭側の端部
１２  中間位置１
１３  中間位置２
１４  中間位置３
１５  目尻側の端部
２  アイラインシール集合シート
２１  台紙
２２  粘着剤
【図１】
0003187657.tif 000003
【図２】
0003187657.tif 000004
【図３】
0003187657.tif 000005
【図４】
0003187657.tif 000006
【手続補正書】
【提出日】平成25年9月27日(2013.9.27)
【手続補正１】
【補正対象書類名】明細書
【補正対象項目名】全文
【補正方法】変更
【補正の内容】
【考案の詳細な説明】
【技術分野】
【０００１】  本考案は、まぶたの上側の瞼縁（以下「まぶた」という）に貼り付けてアイラインを形成するためのアイラインシール、及び該アイラインシールを保持したアイラインシール集合シートに関する。
【背景技術】
【０００２】  アイラインとは目元に施す化粧の一つであり、目の縁に線を描くことで目の形を大きく見せる効果がある。アイラインを描くための化粧品の一つとして、アイライナーがあり、アイライナーには、いくつかの種類があるが、良く使われるのはペンシルタイプとリキッドタイプである。ペンシルタイプは文房具の鉛筆のような形状のもので、リキッドタイプは液状になっていて、ボトルなどに入った液体を、ブラシで塗布して使用する。色は黒、または茶色を使用する場合が多い。アイライナーは、人の手で化粧を行なう為、使用する人のスキルによって出来上がりが異なる。上手く使用できない場合、左右非対称になったり、アイラインにムラができるなど、使用者の希望通りのアイラインにならないと言う欠点を有している。【０００３】これに対し、着色した粘着シールを細長い形状に切り取り、瞼に貼り付けて使用するアイラインテープが刊行物に記載されていて、目頭から目尻にかけて長手方行に幅が狭くなっていてアイラインを形成すると共に二重瞼を作るテープが特開平１１−３１８５５８号公報に、粘着シールを着色して瞼に貼りつけるアイラインが実用新案登録第３０５０３９２号公報に記載されている。
【先行技術文献】
【特許文献】
【０００４】
【特許文献１】特開平１１−３１８５５８号公報
【特許文献２】実用新案登録第３０５０３９２号公報
【考案の概要】
【考案が解決しようとする課題】
【０００５】  特開平１１−３１８５５８号公報記載のテープは、二重まぶたを形成することを優先した形状のテープとなり、アイラインをきれいに見せると言う点で欠点がある。また実用新案登録第３０５０３９２号公報記載のアイラインは、着色したテープであり、きれいに見えるアイラインとしての実用化に課題が残っている。【０００６】  このような状況に鑑み、考案者らは、どのようなまぶたの形状の人が使用しても、目を大きく見せる効果や、化粧に使用するファンデーションののり易さ、目尻側のはねも形成しやすい等の利点を兼ね備えたアイラインシールが必要であると考えた。すなわち本考案は、これらの利点を兼ね備えたアイラインシール及び、該アイラインシールの保持に適したアイラインシール集合シートを提供することを目的とする。
【課題を解決する為の手段】
【０００７】  上記の課題を解決するにあたり、本考案者らは鋭意検討を行なった結果、アイラインシール本体を、伸縮性を有さないが柔軟性を有する合成樹脂から構成し、かつ、シール幅を、長手方向の一端から徐々に太くし、かつ反対側の一端をはねた形状にし、徐々に細くする構成することによって、まぶたの形状に関わらず、目を大きく見せつつ、上から化粧をした時に自然に化粧が出来、かつ、テカリも目立たないアイラインを形成することができ、かつ、目尻のはねも形成しやすく、かつ、まぶたに貼り付けた際にも剥がれにくいことを見出し、本考案の完成に至った。
【０００８】  すなわち本考案は、まぶたに貼ってアイラインを形成するためのアイラインシールであって、その長手方向の一端に上方向へのはねた部分を有する小片状のシール本体と、前記シール本体の少なくとも一方の面に塗着された粘着材とを備え、前記シール体は、実質的に伸縮性を有さないが柔軟性を有する合成樹脂からなり、前記シール体の長手方向に直行する方向のシールの幅が、はねた部分の手前まで徐々に太くなるシール幅を有するアイラインシールに関するものである。
【０００９】  また本考案は、二以上の前記アイラインシールと、前記アイラインシールの前記粘着剤に接して設けられ、二以上の前記アイラインシールを剥離可能に保持してなる台紙とから構成されている、アイラインシール集合シートにも関する。
【考案の効果】
【００１０】  本考案によれば、アイラインの形成のし易さや、アイラインの上からの化粧のし易さや剥がれにくさ、目尻側のアイラインのはねの形成の容易さ、またシールの上からの化粧のし易さといった点に優れたアイラインシール、及びこのようなアイラインシールの集合シートを提供することができる。
【００１１】  本考案のアイラインシールは、全体として細い小片状に形成されるが、中でも長手方向に直行する方向のシール幅が、徐々に太くなり、かつ、目の形に添うように湾曲し、目尻に相当する位置から反対側の端部までは上向きにはねている。そのことにより、きれいなアイラインを形成することができる。また素材は上から化粧をする事が出来るために、アイラインも自然な見え方となり、テカリの少ない素材のため、シール自体が目立つことも少ない。また柔軟性を有する素材の為、端部のはね部分は、使用者の希望する角度に変形することができる。また容易に切断可能であるために、使用する人の目の大きさや形に合わせて切断することにより、長さ等を簡単に調節することができる。
【００１２】  また、上記のアイラインシールを保持してなる本考案のアイラインシール集合シートはアイラインシール、及び台紙の２層構造をとる事により、台紙からの剥離を容易に行なうことが可能になる。
【図面の簡単な説明】
【００１３】
【図１】本考案のアイラインシールの実施形態を示す正面図である
【図２】本考案のアイラインシール集合シートの実施形態を示す正面図である
【図３】図２のＡ−Ａ線断面図である
【図４】本考案のアイラインシールをまぶたに貼り付けた位置の説明図
【考案を実施する為の形態】
【００１４】  以下、本考案の実施形態を、図面を参照して説明する。ただし、本考案はこれらの実施形態に何ら限定されるものではない。
【００１５】  図１は、本考案に係るアイラインシールの実施形態を示している。このアイラインシールは、小片状で黒色又は茶色等の暗色を着色したシール本体１と、シール本体１の少なくとも一方の面に塗着された粘着剤とから構成されている。シール本体１は、図１の左右に位置する、長手方向の端を構成するそれぞれの端部１１、端部１５と図１中の上下に位置する、長手方向に直行する方向の端を構成する上縁と下縁とで、その形状が確定されている小片状のシールである。尚、ここでの「左右」、「上下」は図面の説明のためであり、シール本体１において区別されるものではない。なお、「小片状」とは、シール本体１が、概ねまぶたの平均的な長さよりも若干長い程度の長さを有し、全体としてまぶたから少しはみ出して貼り付けられる程度の大きさのシール片であることを意味している。
【００１６】  前記シール本体１のシール幅は、目頭側の端部１１から、中間点１４にかけて、徐々に太くなるように構成されている。目頭側の端部１１は細くなっており、その為、まぶたの形状（一重、奥二重、二重など）にかかわらず、貼り付ける事が可能である。また化粧品でアイラインを引く場合、通常目頭側を細くし、その太さを黒目にかかる位までは太くし、それ以降は徐々に太くするもしくは同じくらいの太さにすることによって、まぶたを着色し、そうすることによって目を大きく見せることができる。これは目の形状からすると、自然な形といえる。目の形状は、ラグビーボールに似た形状をしており、目頭側から瞳の瞳孔部分の目頭に近い部分にかけては、３５度〜４５度くらいの角度で大きくなり、黒目の上の部分では緩やかなカーブで中央部までは大きくなり、その後目尻方向へと向う。また、目頭から目尻までの水平方向の長さを１０とした場合、「目頭から黒目の目頭側端部までの水平方向の長さ」：「黒目の直径の長さ＋黒目の目じり側側端部から目尻までの水平方向の長さ」の割合は、ほぼ３．１：６．９位となる。よって上記のような目の形状の特徴に合わせた場合、最も自然なアイラインシールの形状を形成することができる。一般的な目の形状に合わせるため、シール本体１の下縁は上記比率に合わせた線を描くことになる。図１の目頭側の端部１１の下端部を原点として、水平方向にＸ軸、垂直方向にＹ軸をとる。シール本体１の端部１１から中間点１２までのＸ軸方向の長さをＬ１、端部１１から中間点１３までのＸ軸方向の長さをＬ２、端部１１から中間点１４までのＸ軸方向の長さをＬ３、中間点１４から端部１５までのＸ軸方向の長さをＬ４、端部１１から端部１５までのＸ軸方向の長さをＬ５とする。Ｌ３の長さを１０とした場合、Ｌ１の長さは３．１となり、中間点１２は座標軸（３．１０、０．６７）で表される。Ｌ３の長さを１０とした場合、Ｌ２の長さは５となり、中間点１３は座標軸（５．００、０．７９）で表される。Ｌ３の長さを１０とした場合、中間点１４は座標軸（１０、０．４５）で表される。端部１１、端部１２、端部１３及び端部１４を結んだ線が、シール本体１の下縁の一部を構成する。端部１１、端部１２、端部１３及び端部１４を結んだ線は曲線であっても直線であっても良い。中間点１２、中間点１３及び中間点１４は、その点の位置から上下左右に０．２程度ずれても良いが、それよりもずれた場合はきれいなアイラインは形成することが出来ない。
【００１７】  シール本体１のシール幅、シール長については、端部１１の幅Ｗ１は０．４ｍｍから０．６ｍｍ程度に形成される。図１の態様においては、０．５６ｍｍである。また、中間点１２の幅Ｗ２は１．５４ｍｍから１．６２ｍｍ程度に形成される。図１の態様においては、１．５９ｍｍである。また、中間点１４の幅Ｗ３は１．８ｍｍから２．１０ｍｍ程度に形成される。図１の態様においては、２．０１ｍｍである。また、端部１１の下端部から中間点１２までの長さＬ１は９．３２ｍｍから１１．３ｍｍ程度で、図１の様態においては、１０．１ｍｍである。また、端部１１の下端部から中間点１３までの長さＬ２は１５ｍｍから１８ｍｍ程度で、図１の様態においては、１６．８ｍｍである。また、端部１１から中間点１４までの長さＬ３は３１ｍｍから３５ｍｍ程度に有り、図１の態様においては、３３．７ｍｍである。また、シール全体の長さを示すＬ５は、まぶたに貼り付けてアイラインを形成するのに適切な長さであればよいが、例えば３．５ｃｍから４．５ｃｍ程度、好ましくは３．７ｃｍから４．０ｃｍ程度に掲載され、図１の様態においては、３８．６ｍｍである。またシール本体１の厚さは、粘着剤も合わせて０．１２ｍｍ〜０．１６ｍｍ程度に形成される。図１の態様の場合、０．１４ｍｍである。なお、アイラインシールとしては、シール本体１に予め塗着された両面粘着シール、或いは片面粘着シールを使用することができるが、この場合には、シール本体１と粘着剤の層とを含めた厚さが上記範囲であれば良い。ここで「シール幅」とは、シール本体１の長手方向に直行するシールの幅、あるいは上縁と下縁の距離をいう。
【００１８】  中間点１４から端部１５の下端部にかけての形状は、目尻から、目頭とは反対の方向にかけて上向きに表示される部分である。通常アイラインを引く場合、目頭から目尻までは、目の形に添うように、まぶたにアイラインを引くが、目をさらに大きく見せようとする場合、目尻からさらに、目頭とは反対の方向に、顔に対して上向きに徐々に細くなるラインを引く。これにより、目の回りの黒い部分が増え、より目が大きく見える効果がある。端部１５の下端部は座標軸（１１．４、１．４３）で表される。シール本体１の中間点１４から端部１５にかけてのＸ軸上の長さを示すＬ４は３ｍｍから８ｍｍ程度、好ましくは４ｍｍから６ｍｍ程度に形成され、図１の態様においては、４．９ｍｍである。端部１５の幅Ｗ４は０．１８ｍｍから０．２２ｍｍ程度に形成される。図１の態様においては、０．２ｍｍである。
【００１９】  シール本体１は、実質的に伸縮性を有さないが柔軟性を有する合成樹脂からなり、例えば、レーヨン製不織布からなるシールとして形成することができる。ここで、「実質的に伸縮性を有さないが柔軟性を有する合成樹脂」とは、合成樹脂の中でも比較的伸びにくい性質のものを使用すれば良い。例えば、シール本体１を取り扱う際に通常の力で手で長手方向に引っ張った程度では伸長しない素材が使用され、このような合成樹脂の一例としては、スリーエムヘルスケア株式会社製の、皮膚貼付用片面粘着１５３３Ｌ（０．１４ｍｍ）等が挙げられる。このようなシールの伸び率はほぼ０％であるが、柔軟性があるので、多少の形状の変化は手で与えることができる。このように、伸びにくく柔軟性のある性質の合成樹脂を、まぶたに貼り付ける際の所望の細さのシールに予め形成しておくことで、アイラインシールの形成に必要な強度と柔軟度を十分に保つことができる。また、自身の目のサイズに合わせて切ることも出来、多少のサイズの違いであれば加工して使えるという利点がある。
【００２０】  図２〜図３は、本考案に係るアイラインシールを保持した状態のアイラインシール集合シートの実施例を示している。このアイラインシール集合シート２は、図３で示されるように、シール本体１とシール本体１の片面に塗着された粘着剤を介して設けられた台紙２１との２層で構成されている。１枚の長方形状の台紙２１には、左右一対以上、すなわち２以上のシール本体が備えられており、例えば図２に示すように、左右２列で上下方向に各々１０個（計２０個）のシール本体１が備えられている。なお、各々のシール本体１は長手方向、すなわち図２中の左右方向において対象に形成され、右側が右目用、左側が左目用となる。なお、ここでのシール本体１の「左右」、「上下」とは、図中（例えば図２）における左右、上下を示しており、まぶたに貼り付けた際の、目やまつ毛の位置に対する左右、上下とは必ずしも一致しなくて良い。
【００２１】  台紙２１は、使用前のシール本体１を保持する為のものであり、一枚の長方形状に構成され、シール本体１の裏面側の粘着剤を介して、複数のシール本体１に対して、剥離可能に貼り付けられている。台紙２１は、粘着剤が容易に剥離されるような素材、例えばポリエチレンレフタレート（ＰＥＴ）等の合成樹脂から構成されている。なお、台紙２１は、シール本体１を保持する為に適度な厚みを有していればよく、特に限定されるものでは無いが、例えば０．５〜１．５ｍｍ程度、好ましくは０．８ｍｍ〜１．２ｍｍ程度に形成され、図２の態様においては、０．９ｍｍである。
【００２２】  なお、台紙２１とシール本体１とは、図３で示されるように、シール本体１の裏面側に塗着された粘着剤３１により剥離可能に接着されている。例えば、シール本体１の両面に粘着剤が予め塗着された両面粘着シールを使用することによって、台紙２をシール本体１に接着させてもよいし、台紙２とシール本体１との間（シール本体１の裏面側）にアクリル系の接着剤を施すことにより、台紙２とシール本体１を接着させてもよい。台紙２は、粘着剤が容易に剥離される素材から構成されているため、シール本体１はその裏面側に粘着剤が付着した状態のまま（すなわち、まぶたに貼り付ける事が可能なアイラインシールの状態として）、容易に台紙２から剥離される。
【００２３】  図４は、本実施形態のアイラインシールの使用方法を示している。本実施形態のアイラインシールを使用するには、図４に示すように、複数枚のシール本体１が剥離可能な状態で接着された台紙２１から、右目用または左目用の、いずれかの目的にあった１枚のシール本体１を剥がし、目を伏せ目にしてまぶたに沿って貼り付ける。その後目を開けば、アイラインを引いた状態に仕上がる。目は伏せ目がちにして貼り付けるので、アイラインシールの形状は、人間の瞳の形状に比較して、緩やかな角度となる。また、貼り付け後、まぶたを開いた場合、アイラインシールに弾力性があるため、目に負担を掛けること無く、きれいなアイラインとなる。
【００２４】  このようにして、アイラインシールを左まぶたに貼り付ける事ができ、右まぶたへの貼り付けも同様に行なうことができる。なお、まぶたに貼り付ける適切な位置は人によっても異なるが、例えば睫毛の生え際に貼り付けることにより、きれいな仕上がりのアイラインを形成することができる。
【００２５】  本考案に係るアイラインシール及びアイラインシール集合シートは、上記の実施形態に限定されるものではなく、各部分の素材や形状等を所望に応じて適宜変更することが可能である。例えばシール本体１の形状は、図１に限定されずに、目頭側から目尻側のはねの手前にかけて、シール幅が徐々に太くなるように構成されているものであれば良い。また、目頭側の端部１１及び目尻側の端部１５の形状は、外側に丸みを帯びた形状のものでも良い。台紙２１のサイズや台紙２１上に設けられるシール本体１の数も上記の例に限定されるものではなく、また、シール本体１、及び台紙２１の素材も、適宜変更することができる。ただし、シール本体１の素材は、上記のように伸縮性が無いが、柔軟性のあるもので、肌に貼り付けたとき、シールの上からアイシャドウ、アイライン等のアイメイクを施すことが可能であることが望ましい。また、シール本体１と台紙２１に介在する（シール本体１の裏面側に存在する）粘着剤の種類にも制限は無く、シール本体１をその裏面側に粘着剤が付着した状態のまま台紙２１から剥離して、まぶたに貼り付ける事が可能となるような、従来公知のものを使用することができる。
【符号の説明】
【００２６】１  シール本体
１１  目頭側の端部
１２  第１中間位置
１３  第２中間位置
１４  第３中間位置
１５  目尻側の端部
２  アイラインシール集合シート
２１  台紙
２２  粘着剤
【手続補正２】
【補正対象書類名】実用新案登録請求の範囲
【補正対象項目名】全文
【補正方法】変更
【補正の内容】
【実用新案登録請求の範囲】
【請求項１】
まぶたに貼ってアイラインを形成するためのアイライン形成用シールであって、長手方向に目頭側の端部と目尻側の端部とを有し暗色に着色されて柔軟性を有する合成樹脂で形成された小片状のシール本体と、前記シール本体の少なくとも一方の面に粘着剤が塗着され、前記シール本体の長手方向に直行する方向のシール幅が、目頭側の端部から、目尻位置の中間部まで徐々に太くなるように構成されていることを特徴とするアイライン形成用シール。
【請求項２】
前記目尻側に相当する端部が先細形状で跳ね上げられていることを特徴とする請求項１に記載のアイライン形成用シール。
【請求項３】
まぶたに貼ってアイラインを形成するためのアイライン形成用シールであって、長手方向の両端に端部を有する小片状のシール本体と、前記シール本体の少なくとも一方の面に塗着された粘着剤を備え、前記シール本体は実質的に柔軟性を有する合成樹脂からなり、前記シール本体の長手方向に直行する方向のシール幅が、目頭側に相当する端部から、目尻に相当する端部手前まで、徐々に太くなるように構成されていることを特徴とし、アイライン形成用シールの下縁部が４点を結ぶ点により構成され、それぞれの点は、目頭側の端部を座標軸（Ｘ軸、Ｙ軸）の原点とし、原点から全体の長さＬ５を１１．４とした場合、２点目の座標（１２）が（３．１、０．６７）、３点目の座標（１３）が（６、０．８）、４点目の座標（１４）が（１０，０．４５）で示され、またはそれぞれの座標軸が、前後左右に０．２程度ずれる程度を許容範囲として構成され、かつ４点が直線あるいは曲線で結ばれているアイライン形成用シール。
【請求項４】
まぶたに貼ってアイラインを形成するためのアイライン形成用シールであって、目尻側に相当する端部が先細形状で跳ね上げられていることを特徴とし、はねの部分の下縁部が２点を結ぶ点によって構成され、それぞれの点は、目頭側の端部を座標軸（Ｘ軸、Ｙ軸）の原点とし、原点から全体の長さＬ５を１１．４とした場合、１点目の座標（１４）が（１０、０．４５）で示され、２点目の座標（１５）が（１１４．３４、１．４３）で示され、かつ２点が直線あるいは曲線で結ばれている、請求項１に記載のアイライン形成用シール。
【請求項５】
二以上の請求項１に記載のアイライン形成用シールと、前記アイライン形成用シールの前記粘着剤に接して設けられ、二以上の前記アイライン形成用シールを剥離可能に保持してなる台紙から構成されていることを特徴とする、アイライン形成用シール集合シート。